Podtech/llm-jp-corpus-v4-ja_patent huggingface dataset:
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
第１基板と第２基板との間に液晶を狭持し、１つの画素内に透過表示を行う透過部と反射表示を行う反射部とを有し、第１電極と第２電極とを前記第１基板に備える液晶表示装置であって、
前記第１基板の前記液晶とは反対側に第１偏光板を備え、
前記第２基板の前記液晶とは反対側に第２偏光板を備え、
前記第１基板と前記液晶を介して対向する前記第２基板に第３電極を備え、
前記第１電極は、前記第２電極とともに前記透過部に設けられている一方で、前記第３電極とともに前記反射部にも設けられ、
前記液晶は、前記透過部では前記第１電極と前記第２電極との電界で配向制御され、前記反射部では前記第１電極と前記第３電極との電界で配向制御され、
前記反射部に配置された位相差層は、１／２波長板であり、
前記第１偏光板の透過軸は、前記透過部の明表示及び暗表示のそれぞれにおいて、前記第１偏光板に入射した光が前記液晶の液晶分子の長軸に対して略直交または略平行な偏光として前記液晶に入射するように配置されることを特徴とする液晶表示装置。
【請求項２】
請求項１に記載の液晶表示装置であって、
前記第１偏光板の透過軸と前記第２偏光板の透過軸とは略直交であることを特徴とする液晶表示装置。
【請求項３】
請求項１に記載の液晶表示装置であって、
前記第１偏光板の透過軸と前記第２偏光板の透過軸とは略平行であることを特徴とする液晶表示装置。
【請求項４】
請求項１ないし３のいずれか１つに記載の液晶表示装置であって、
前記位相差層は前記第２基板の前記液晶側に設けられ、前記第２偏光板より入射した直線偏光の偏光方向を４５°回転させることを特徴とする液晶表示装置。
【請求項５】
請求項１ないし４のいずれか１つに記載の液晶表示装置であって、
前記位相差層によって前記反射部でのセルギャップが前記透過部でのセルギャップよりも狭められていることを特徴とする液晶表示装置。
【請求項６】
請求項１ないし４のいずれか１つに記載の液晶表示装置であって、
前記反射部でのセルギャップが前記透過部でのセルギャップよりも狭められていることを特徴とする液晶表示装置。
【請求項７】
請求項１ないし６のいずれか一つに記載の液晶表示装置であって、
前記第１基板には前記第１電極、絶縁膜、前記第２電極がこの順番に積層され、前記第２電極には第１電極と対向する領域にスリットを有していることを特徴とする液晶表示装置。
【請求項８】
請求項１ないし請求項７のいずれか一つに記載の液晶表示装置であって、
前記第２電極と前記第３電極とに同一の電位が印加されることを特徴とする液晶表示装置。
【手続補正２】
【補正対象書類名】明細書
【補正対象項目名】０００８
【補正方法】変更
【補正の内容】
【０００８】
本発明に係る液晶表示装置は、第１基板と第２基板との間に液晶を狭持し、１つの画素内に透過表示を行う透過部と反射表示を行う反射部とを有し、第１電極と第２電極とを前記第１基板に備える液晶表示装置であって、前記第１基板の前記液晶とは反対側に第１偏光板を備え、
前記第２基板の前記液晶とは反対側に第２偏光板を備え、前記第１基板と前記液晶を介して対向する前記第２基板に第３電極を備え、前記第１電極は、前記第２電極とともに前記透過部に設けられている一方で、前記第３電極とともに前記反射部にも設けられ、前記液晶は、前記透過部では前記第１電極と前記第２電極との電界で配向制御され、前記反射部では前記第１電極と前記第３電極との電界で配向制御され、前記反射部に配置された位相差層は、１／２波長板であり、前記第１偏光板の透過軸は、前記透過部の明表示及び暗表示のそれぞれにおいて、前記第１偏光板に入射した光が前記液晶の液晶分子の長軸に対して略直交または略平行な偏光として前記液晶に入射するように配置されることを特徴とする。
【手続補正３】
【補正対象書類名】明細書
【補正対象項目名】００１０
【補正方法】変更
【補正の内容】
【００１０】
また、前記第１偏光板の透過軸と前記第２偏光板の透過軸とは略直交であることが好ましい。また、前記第１偏光板の透過軸と前記第２偏光板の透過軸とは略平行であることが好ましい。
また、前記位相差層は前記第２基板の前記液晶側に設けられ、前記第２偏光板より入射した直線偏光の偏光方向を４５°回転させることが好ましい。
【手続補正４】
【補正対象書類名】明細書
【補正対象項目名】００１１
【補正方法】変更
【補正の内容】
【００１１】
また、前記位相差層によって前記反射部でのセルギャップが前記透過部でのセルギャップよりも狭められていることが好ましい。
また、前記反射部でのセルギャップが前記透過部でのセルギャップよりも狭められていることが好ましい。
また、前記第１基板には前記第１電極、絶縁膜、前記第２電極がこの順番に積層され、前記第２電極には第１電極と対向する領域にスリットを有していることが好ましい。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
タッチパッドとしての入力装置が取得したユーザの入力操作に応じて、表示装置に表示されるカーソルを制御するカーソル制御装置であって、
上記タッチパッドの表面からユーザの指が離れたことを示す特定信号を、上記入力装置から受信したか否かを判定する受信判定手段と、
上記受信判定手段が上記特定信号を上記入力装置から受信したと判定した場合、上記表示装置に表示されている、上記特定信号を受信したときの現在のカーソルの位置から最も近い位置にある、ユーザの指示入力に対する処理を行うことが可能な指示入力領域を特定する領域特定手段と、
上記領域特定手段が特定した上記指示入力領域に、現在のカーソルの位置からカーソルを移動させるカーソル移動手段と、を備えたことを特徴とするカーソル制御装置。
【請求項２】
上記領域特定手段が特定した上記指示入力領域に対して、ユーザの入力操作による選択が禁止されているか否かを判定する選択禁止判定手段と、
上記選択禁止判定手段が、上記指示入力領域に対してユーザの入力操作による選択が禁止されていると判定した場合には、上記カーソル移動手段は、上記指示入力領域以外の領域にカーソルを移動させることを特徴とする請求項１に記載のカーソル制御装置。
【請求項３】
上記表示装置に表示されるカーソルが停止している時間を計時する計時手段をさらに備え、
上記領域特定手段は、上記計時手段が予め設定された時間だけ計時したとき、上記指示入力領域を特定することを特徴とする請求項１または２に記載のカーソル制御装置。
【請求項４】
請求項１〜３の何れか１項に記載のカーソル制御装置と、ユーザの入力操作を取得すると共に、該入力操作の示す入力データを上記カーソル制御装置に送信するタッチパッドとしての入力装置と、を備えたカーソル制御システムであって、
上記入力装置は、
上記タッチパッドの表面からユーザの指が離れたか否かを判定する取得判定手段と、
上記取得判定手段が上記タッチパッドの表面からユーザの指が離れたと判定した場合、当該タッチパッドの表面からユーザの指が離れたことを示す特定信号を作成する特定信号作成手段と、を備え、
上記タッチパッドの表面からユーザの指が離れたときのカーソルの位置を取得していることを特徴とするカーソル制御システム。
【請求項５】
タッチパッドとしての入力装置が取得したユーザの入力操作に応じて、表示装置に表示されるカーソルを制御するカーソル制御装置の制御方法であって、
上記タッチパッドの表面からユーザの指が離れたことを示す特定信号を、上記入力装置から受信したか否かを判定する受信判定ステップと、
上記受信判定ステップにて上記特定信号を上記入力装置から受信したと判定した場合、上記表示装置に表示されている、上記特定信号を受信したときの現在のカーソルの位置から最も近い位置にある、ユーザの指示入力に対する処理を行うことが可能な指示入力領域を特定する領域特定ステップと、
上記領域特定ステップにて特定した上記指示入力領域に、現在のカーソルの位置からカーソルを移動させるカーソル移動ステップと、を含むことを特徴とするカーソル制御装置の制御方法。
【手続補正書】
【提出日】平成21年8月20日(2009.8.20)
【手続補正１】
【補正対象書類名】特許請求の範囲
【補正対象項目名】請求項１
【補正方法】変更
【補正の内容】
【請求項１】
複数の印刷設定情報の各々の印刷設定情報に対応させて印刷時の制限レベルを示す印刷制限レベルを記憶する印刷制限レベル記憶部と、
入力された印刷ジョブから複数の印刷設定情報を取得する印刷設定情報取得部と、
前記印刷設定情報取得部が取得した前記複数の印刷設定情報に対応する複数の制限レベルを前記印刷制限レベル記憶部から読み出し、当該読み出した複数の印刷制限レベルのうち所定レベルの印刷制限レベルを選択する制限レベル選択部と、
前記制限レベル選択部により選択された前記印刷制限レベルが示す印刷制限に基づいて前記印刷ジョブに含まれる印刷データを印刷する印刷部とを備えること
を特徴とする画像形成装置。
【手続補正２】
【補正対象書類名】明細書
【補正対象項目名】０００７
【補正方法】変更
【補正の内容】
【０００７】
上記課題を解決する為に、本発明にかかる画像形成装置は、複数の印刷設定情報の各々の印刷設定情報に対応させて印刷時の制限レベルを示す印刷制限レベルを記憶する印刷制限レベル記憶部と、入力された印刷ジョブから複数の印刷設定情報を取得する印刷設定情報取得部と、前記印刷設定情報取得部が取得した前記複数の印刷設定情報に対応する複数の制限レベルを前記印刷制限レベル記憶部から読み出し、当該読み出した複数の印刷制限レベルのうち所定レベルの印刷制限レベルを選択する制限レベル選択部と、前記制限レベル選択部により選択された前記印刷制限レベルが示す印刷制限に基づいて前記印刷ジョブに含まれる印刷データを印刷する印刷部とを備えることを特徴としている。
【手続補正書】
【提出日】平成21年4月3日(2009.4.3)
【手続補正１】
【補正対象書類名】明細書
【補正対象項目名】０００７
【補正方法】変更
【補正の内容】
【０００７】
分割回路基板とパネル基板とを接合させたときに、それらに設けた電極が電気的に接続されなければならない。ＡＣＦを介して熱圧着するようにして接合し、もって両基板間の電極間を電気的に接続するが、そのためにはパネル基板と各分割回路基板との間の位置合わせを行う必要がある。ここで、熱圧着するには、分割回路基板をパネル基板に当接させて、熱硬化が完了するまで加圧状態に保持しなければならず、分割回路基板毎に位置合わせと、熱圧着とを繰り返すようにすると、分割回路基板の接合を行うのに極めて長い時間を要することになる。従って、印刷回路基板の分割数が多くなればなるほど、その接合ステージでの処理時間が長くなるという問題点がある。特に、多くの分割数から構成した分割回路基板をパネル基板の複数の辺に接合する場合には、その接合動作に極めて長い時間が必要となる。
【手続補正２】
【補正対象書類名】明細書
【補正対象項目名】００１３
【補正方法】変更
【補正の内容】
【００１３】
パネル基板における少なくとも１辺、最大４辺に対して、２分割、３分割、４分割等のように複数に分割した印刷回路基板を接合させる動作を同時に行うことにより、単一の印刷回路基板をパネル基板に接合するのとほぼ同じ時間で接合処理を行えるようになし、もってパネルの組立を高速で行えることになる。
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
センサ関係校正データを使用して、センサからインタロゲータが受けた生の状態応答データを校正する方法であって、
前記センサからセンサ識別データを受ける工程と、
前記センサから前記センサ関係校正データを受けることなく、前記センサから前記生の状態応答データを受ける工程と、
遠隔のデータベースから前記センサ関係校正データを検索する工程と、
その検索した前記センサ関係校正データを使用して前記生の状態応答データを校正する工程と、
前記遠隔のデータベースに格納されている前記センサ関係校正データの少なくとも一部を、前記インタロゲータに付属するローカルデータベースに転送する工程と
を含み、前記検索する工程は、受信した前記センサ識別データに基づいて、前記ローカルデータベースから校正データを検索することを含む
ことを特徴とする方法。
【請求項２】
上記の転送する工程は、広域ネットワークを介して前記センサ関係校正データの少なくとも一部を転送することを含むことを特徴とする請求項１に記載の方法。
【請求項３】
上記の転送する工程は、インターネットを介して前記センサ関係校正データの少なくとも一部を転送することを含むことを特徴とする請求項２に記載の方法。
【請求項４】
上記の転送する工程は、データ記憶媒体を使用して前記ローカルデータベースに前記センサ関係校正データの少なくとも一部を送ることを含むことを特徴とする請求項１に記載の方法。
【手続補正書】
【提出日】平成20年12月9日(2008.12.9)
【手続補正１】
【補正対象書類名】明細書
【補正対象項目名】０００２
【補正方法】変更
【補正の内容】
【０００２】
近年の電子デバイスの高速化に伴い、電子デバイスを試験する試験装置においても、動作の高速化が望まれている。そこで、近年、試験信号や制御信号の高速伝送を実現するため、被試験デバイスにテストパターンを印加するテストヘッドと、テストヘッドのテストシーケンスを制御するメインフレームとを光ファイバケーブルによって接続するものが提案されている。
【特許文献１】特開平１０−１４２２９８号公報
【特許文献２】米国特許第４８９８４４８号明細書
【特許文献３】米国特許第４９００１２３号明細書
【特許文献４】米国特許出願公開第２００３／０２１９１９４号明細書
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
球発射装置、該球発射装置へ遊技球を送り出す整流器、遊技球を貯留する球貯留部と該球貯留部における遊技球を上記整流器へ供給するための球供給通路とを備えた球皿、及び該球皿の上方において開閉可能に配設したガラス扉を有する遊技機に対して、上記球皿の側部に隣接して、開閉可能な状態で開閉部材を配設した構造であって、
上記整流器は、上記開閉部材の裏面側に配設してあり、
上記整流器には、位置決め部が形成してあり、該整流器に対向する位置には、上記開閉部材を閉じたときに、上記位置決め部を係合させる係合部が形成してあり、
上記開閉部材は、その側端部に設けた回動支点部を、当該開閉部材の配設部位に設けた回動支持部に回動支持させて開閉可能であり、
上記開閉部材には、上記回動支持部に対する上記回動支点部の係合状態を解除して、当該開閉部材の取付け、取外しを可能にする係合解除操作部と、当該開閉部材に設けた操作部材の操作を受けて、上記整流器へ供給される遊技球を抜き出すことができる球抜き機構とが設けてあり、
上記開閉部材の上部には、上記ガラス扉を閉じたときに該ガラス扉の裏面側に位置する防犯用突出片が設けてあり、上記開閉部材は、上記ガラス扉を開けない限り開けることができなくなっており、
上記開閉部材の配設部位には、該開閉部材の固定及び該固定の解除が可能なロック部材が配設してあり、該ロック部材の操作部は、上記ガラス扉を閉じたときに該ガラス扉の裏面側に位置していることにより、該ガラス扉を開けない限り操作できなくなっていることを特徴とする遊技機の開閉部材の構造。
【請求項２】
請求項１において、上記開閉部材には、遊技者が操作する演出用スイッチが配設してあると共に、当該開閉部材に加わる荷重を上記球皿によって受けるための荷重受け部が形成してあることを特徴とする遊技機の開閉部材の構造。
【手続補正２】
【補正対象書類名】明細書
【補正対象項目名】０００７
【補正方法】変更
【補正の内容】
【０００７】
本発明は、球発射装置、該球発射装置へ遊技球を送り出す整流器、遊技球を貯留する球貯留部と該球貯留部における遊技球を上記整流器へ供給するための球供給通路とを備えた球皿、及び該球皿の上方において開閉可能に配設したガラス扉を有する遊技機に対して、上記球皿の側部に隣接して、開閉可能な状態で開閉部材を配設した構造であって、
上記整流器は、上記開閉部材の裏面側に配設してあり、
上記整流器には、位置決め部が形成してあり、該整流器に対向する位置には、上記開閉部材を閉じたときに、上記位置決め部を係合させる係合部が形成してあり、
上記開閉部材は、その側端部に設けた回動支点部を、当該開閉部材の配設部位に設けた回動支持部に回動支持させて開閉可能であり、
上記開閉部材には、上記回動支持部に対する上記回動支点部の係合状態を解除して、当該開閉部材の取付け、取外しを可能にする係合解除操作部と、当該開閉部材に設けた操作部材の操作を受けて、上記整流器へ供給される遊技球を抜き出すことができる球抜き機構とが設けてあり、
上記開閉部材の上部には、上記ガラス扉を閉じたときに該ガラス扉の裏面側に位置する防犯用突出片が設けてあり、上記開閉部材は、上記ガラス扉を開けない限り開けることができなくなっており、
上記開閉部材の配設部位には、該開閉部材の固定及び該固定の解除が可能なロック部材が配設してあり、該ロック部材の操作部は、上記ガラス扉を閉じたときに該ガラス扉の裏面側に位置していることにより、該ガラス扉を開けない限り操作できなくなっていることを特徴とする遊技機の開閉部材の構造にある（請求項１）。
【手続補正書】
【提出日】平成21年2月17日(2009.2.17)
【手続補正１】
【補正対象書類名】特許請求の範囲
【補正対象項目名】請求項１７
【補正方法】変更
【補正の内容】
【請求項１７】
前記測定対象の撮影が内視鏡により行われるものであることを特徴とする請求項２から１６のいずれか１項記載の分光画像処理装置。
【手続補正書】
【提出日】平成21年2月20日(2009.2.20)
【手続補正１】
【補正対象書類名】明細書
【補正対象項目名】０００２
【補正方法】変更
【補正の内容】
【０００２】
近年、医療診断においては、生体の内部が表示された医用画像が多く用いられており、そのような医用画像を取得するために、Ｘ線撮影装置や、Ｘ線ＣＴ（computed tomography：コンピュータ断層撮影）装置や、超音波（ＵＳ）診断装置や、ＭＲＩ（magnetic resonance imaging：磁気共鳴撮像）装置や、ＰＥＴ（positron emission tomography：ポジトロン断層撮影）装置等の様々な技術や装置（モダリティ）が広く利用されている。それらの装置の多くはディジタル化されており、病院内での診断情報処理システム等の構築が進められている。また、それらの撮像技術の内でも、ＣＴやＭＲＩは生体の軸位断画像を比較的狭い間隔で取得して表示できるので、生体の病変部位の発見や評価に大きな成果を上げている。ここで、軸位断画像とは、被検体の体軸に直交又はほぼ直交する面（所謂、輪切り面）が表された断層像のことをいう。以下において、軸位断画像のことを、単にスライス画像とも言う。
【手続補正２】
【補正対象書類名】明細書
【補正対象項目名】００２８
【補正方法】変更
【補正の内容】
【００２８】
ステップＳ５において、部位情報記憶部２４は、ステップＳ２において得られた特徴量や、ステップＳ３において得られた部位確信度や、ステップＳ４において仮決定された部位を、そのスライス画像の部位情報（部位に関する情報）として保存する。なお、特徴量については、必ずしも全てを記憶しておく必要はなく、所定の特徴量（例えば、後述するステップＳ８において用いられる特徴量）のみを保存するようにしても良い。
このようなステップＳ１〜Ｓ５の動作は、１シリーズに含まれる全てのスライス画像について行われる（ステップＳ６）。
【手続補正３】
【補正対象書類名】明細書
【補正対象項目名】００２９
【補正方法】変更
【補正の内容】
【００２９】
全てのスライス画像についての部位情報が得られると、ステップＳ７において、部位修正処理部２５は、部位情報記憶部２４に保存されている部位情報を、スライス順に整列する。モダリティ１（図１）において生成された画像データは、画像サーバ２にスライス順に送信されるとは限らないからである。なお、スライスの順序は、画像付帯情報の内の画像位置情報（（００２０，００３２）：Image Position (Patient)）に基づいて判断される。或いは、ステップＳ７の替わりに、部位情報記憶部２４が、ステップＳ５において、画像位置情報に基づいて部位情報をスライス順に整列しながら保存するようにしても良い。
【手続補正４】
【補正対象書類名】明細書
【補正対象項目名】００４５
【補正方法】変更
【補正の内容】
【００４５】
画像サーバ５は、モダリティ１から出力された画像データを保管及び管理するＰＡＣＳ用サーバである。画像サーバ５は、モダリティ１から入力された画像データを画像格納装置６に格納させる。また、画像サーバ５は、その画像データの画像付帯情報に撮像部位を表す情報（（００１８，００１５）：Body Part）が含まれていない場合に、画像データを部位認識装置７に出力して部位認識処理を行わせる。さらに、画像サーバ５は、情報読影用端末４の要求に従って、画像格納装置６に格納されている画像データを画像表示端末３に出力するように、画像格納装置６を制御する。
【手続補正５】
【補正対象書類名】明細書
【補正対象項目名】００４９
【補正方法】変更
【補正の内容】
【００４９】
以上説明した第１及び第２の実施形態において、部位認識部１２（図１）及び部位認識装置７（図１１）は、モダリティ１から直接画像サーバ２又は５に入力された画像データについて部位認識処理を行っている。しかしながら、モダリティ１において生成された後で一旦記録媒体に格納された画像データを画像サーバ２又は５又は部位認識装置７に読み込むことにより、部位認識処理を行っても良い。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が前面に形成される遊技盤と、所定条件の成立にもとづいて所定の表示結果を導出表示する表示装置と、を備え、遊技者に有利な特定遊技状態に制御するときに前記表示装置に予め定められた特定表示結果を導出表示する遊技機において、
前記遊技盤は、背部を視認可能な板状部材によって形成され、
前記遊技盤の後面側に設けられ、前記表示装置によって表示される領域以外であって、遊技者が背部を視認可能な遊技領域を装飾する造形部材を備え、
該造形部材は、前記遊技盤への取り付けを可能にする取付部と、立体的な形体を成す複数種類の造形体と、を備えた基本構成部材から構成されることを特徴とする遊技機。
【請求項２】
前記複数種類の造形体は、各々前記基本構成部材とは異なる一以上の部材によって形成され、前記基本構成部材の前面に個々に取り付けられることを特徴とする請求項１記載の遊技機。
【請求項３】
前記表示装置は、前記基本構成部材に対して後面側から取り付けられ、
前記基本構成部材は、前記表示装置の前方に当該表示装置の視認を可能にする開口部を有することを特徴とする請求項１又は請求項３に記載の遊技機。
【手続補正２】
【補正対象書類名】明細書
【補正対象項目名】００１４
【補正方法】変更
【補正の内容】
【００１４】
解決手段１に記載の遊技機によれば、遊技領域が前面に形成される遊技盤を、背部を視認可能な板状部材によって形成し、遊技盤の後面側の表示装置によって表示される領域以外であって遊技者が背部を視認可能な遊技領域を装飾する造形部材を備えたため、遊技球の転動可能な領域を狭めることなく、遊技領域を装飾することができる。また、遊技盤の後面側に立体的な形体を成す造形体を備えた基本構成部材から構成される造形部材を備えたため、遊技球の転動可能な領域においても立体的な装飾を施すことができ、従来の平面的な装飾が施された遊技機に比べて装飾効果を向上させることができる。また、遊技盤の後面側に造形部材を配置するため、広範囲で遠近感を表現でき、装飾効果を向上させることができる。
【手続補正３】
【補正対象書類名】明細書
【補正対象項目名】００１５
【補正方法】変更
【補正の内容】
【００１５】
（解決手段２）
前記複数種類の造形体は、各々前記基本構成部材とは異なる一以上の部材によって形成され、前記基本構成部材の前面に個々に取り付けられることを特徴とする解決手段１記載の遊技機。
なお、本実施形態において、基本構成部材とは異なる一以上の部材は、保持部材５６、左上装飾部材５３、左下装飾部材５２、および右下装飾部材５４のうち１つまたは複数であればよい。
【手続補正４】
【補正対象書類名】明細書
【補正対象項目名】００１６
【補正方法】変更
【補正の内容】
【００１６】
解決手段２に記載の遊技機によれば、基本構成部材とは異なる一以上の部材によって各々形成される造形体を、基本構成部材の前面に個々に取り付けるため、複雑な形状をなすことが可能になり、基本構成部材に一体的に造形体を形成した場合よりも精巧な造形を形成することができる。また、基本構成部材とは異なる一以上の部材によって各々形成される造形体を、基本構成部材の前面に個々に取り付けるため、基本構成部材毎に材質や配色を異ならせることができ、材質や色を異ならせることにより、立体感を向上させることができる。
【手続補正５】
【補正対象書類名】明細書
【補正対象項目名】００１７
【補正方法】変更
【補正の内容】
【００１７】
（解決手段３）
前記表示装置は、前記基本構成部材に対して後面側から取り付けられ、
前記基本構成部材は、前記表示装置の前方に当該表示装置の視認を可能にする開口部を有することを特徴とする解決手段１又は解決手段２に記載の遊技機。
なお、本実施形態において、基本構成部材に取り付けられるとは、箱体５５に取り付けられることである。
【手続補正６】
【補正対象書類名】明細書
【補正対象項目名】００１８
【補正方法】変更
【補正の内容】
【００１８】
解決手段３に記載の遊技機によれば、造形部材の基本構成部材に表示装置を取り付け、造形部材を遊技盤の後面側に配置したため、表示装置を遊技盤の前面側に配置した場合に比べて広範囲で遠近感を表現でき、装飾効果を向上させることができる。また、造形部材によって遠近感を表現するとともに表示装置の表示によって相乗的に遠近感を表現できるため、装飾効果を向上させることができる。
【手続補正７】
【補正対象書類名】明細書
【補正対象項目名】００２０
【補正方法】変更
【補正の内容】
【００２０】
また、造形部材の基本構成部材の後面側に表示装置を取り付け、基本構成部材に表示装置を視認可能な開口部を備えるため、表示装置までの奥行幅が広がり、造形部材によって遠近感を表現するとともに表示装置の表示によって相乗的に遠近感を表現でき、装飾効果を向上させることができる。
【手続補正８】
【補正対象書類名】明細書
【補正対象項目名】００２１
【補正方法】変更
【補正の内容】
【００２１】
（解決手段４）
前記基本構成部材の前面には、所定の装飾が施されていることを特徴とする解決手段１乃至解決手段３のいずれかに記載の遊技機。
なお、所定の装飾とは、不透明インクによりグラビア印刷されたセルシートを貼着するものでもよいし、模様等の立体的な形体が形成されるものでもよい。
【手続補正９】
【補正対象書類名】明細書
【補正対象項目名】００２２
【補正方法】変更
【補正の内容】
【００２２】
解決手段４に記載の遊技機によれば、基本構成部材の前面に所定の装飾を施したため、造形部材によって遠近感を表現するとともに基本構成部材の前面に施された装飾によって相乗的に遠近感を表現でき、装飾効果を向上させることができる。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
本装置は回転枠の両面に上部開閉枠と下部開閉枠を回転枠から開閉又は着脱可能に取り付けて、その下部開閉枠内の横のように水平方向にパイプ状体のように人体を支える支持体を渡し、その端をその開閉枠に固定するようにして、またその支持体に縦方向に設置した支持体で人体の側面を支持して人体が横のように水平面で概移動しないように支持して、また上部開閉枠内の横のように水平方向に支持体を渡し、その端をその開閉枠に固定するようにして、下部開閉枠と上部開閉枠で人体を挟んで人体が上下のように垂直面で概移動しないように支持して、その回転枠を回して人体を仰臥又は横臥又は伏臥状態にする回転介護ベット装置
【請求項２】
回転枠を定速回転駆動源で回す場合、快適性と容易な位置角度の停止の為のように回り初めと回り終わりの回転速度を遅くするように楕円歯車を介して回転枠を回す請求項１の回転介護ベット装置。
【請求項３】
回転枠内にオーデイオ又はビジュアル機器又はインターネット、電話等の通信機器又は空調機を設置した請求項１又は請求項２の回転介護ベット装置。
【請求項４】
請求項１の回転枠の人体の縦方向に回転枠を回転させる軸を設け、その軸の周囲に回転枠の仰臥又は横臥又は伏臥状態の位置を検出するスイッチを設け、接続ケーブルの接続替えで決めた回転枠の所望の回転方向で回転枠軸を回し、接続ケーブルの接続替えで決めた回転枠の所望の設定状態の位置のスイッチを動作させ、回転運動を止め、タイマーを動作させ、設定した時間を経過したら接続ケーブルの接続替えで決めた回転枠の所望の回転方向で回転枠軸を回す動作を所望の動作数までするを１サイクルとして繰り返し、その一連の動作を電気回路を組んで自動でするようにした請求項１又は請求項２又は請求項３の回転介護ベット装置。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
間隔を空けて対向する第１および第２の光学部材を有し、これら光学部材の相対位置の変化により分光特性が変化する可変分光素子と、
前記第１の光学部材を固定する枠部材と、
該枠部材と前記第２の光学部材との間に配置され、入力される駆動信号に応じ、前記枠部材に対して前記第２の光学部材を変位させる駆動手段と、
前記可変分光素子を通過する光束を偏向もしくは分光する光学素子または光電変換を行う光電変換素子とを備え、
前記枠部材に前記光学素子または前記光電変換素子が支持されている分光画像観察用光学装置。
【請求項２】
生体組織の分光画像を観察する請求項１に記載の分光画像観察用光学装置。
【請求項３】
生体体腔内の組織の分光画像を観察する請求項１に記載の分光画像観察用光学装置。
【請求項４】
前記駆動手段と前記光学素子または光電変換素子の少なくとも一部とが光軸方向に重なる位置に配置されている請求項１に記載の分光画像観察用光学装置。
【請求項５】
前記光学素子が、レンズまたはフィルタである請求項１に記載の分光画像観察用光学装置。
【請求項６】
前記光電変換素子が、入射された光を電気エネルギに変換する素子、または、入力された電気エネルギを光に変換する素子である請求項１に記載の分光画像観察用光学装置。
【請求項７】
前記駆動手段が、光軸を挟んで両側に配置されている請求項１に記載の分光画像観察用光学装置。
【請求項８】
前記駆動手段が、前記第２の光学部材を光軸方向に変位させる請求項１に記載の分光画像観察用光学装置。
【請求項９】
前記第１の光学部材が、前記第２の光学部材と、前記枠部材による前記駆動手段の支持位置との間に配置されている請求項１に記載の分光画像観察用光学装置。
【請求項１０】
前記第２の光学部材が、前記第１の光学部材と、前記枠部材による前記駆動手段の支持位置との間に配置されている請求項１に記載の分光画像観察用光学装置。
【請求項１１】
前記光電変換素子が受光素子であり、
前記光学素子が、前記可変分光素子を通過する光束を受光素子上に結像させる請求項１に記載の分光画像観察用光学装置。
【請求項１２】
前記光電変換素子が光源であり、
前記光学素子が、前記可変分光素子を通過する光束を観察対象に投光する請求項１に記載の分光画像観察用光学装置。
【請求項１３】
前記光源が面光源である請求項１２に記載の分光画像観察用光学装置。
【請求項１４】
前記可変分光素子を通過する光束が非コリメート光である請求項１１から請求項１３のいずれかに記載の分光画像観察用光学装置。
【請求項１５】
前記光学素子が、前記可変分光素子を通過する光束に対して光学的パワーを有する請求項１４に記載の分光画像観察用光学装置。
【請求項１６】
前記枠部材が、筒状に形成され、前記可変分光素子、前記駆動手段、光学素子または光電変換素子をその内側に収容する請求項１に記載の分光画像観察用光学装置。
【請求項１７】
前記駆動手段が、前記第１の光学部材と第２の光学部材との間隔寸法を変化させる請求項１に記載の分光画像観察用光学装置。
【請求項１８】
前記第１の光学部材と第２の光学部材との間隔寸法を検出する間隔検出手段を備える請求項１７に記載の分光画像観察用光学装置。
【請求項１９】
生体の体腔内に挿入される挿入部と、
該挿入部内に配置される請求項１に記載の分光画像観察用光学装置と、
前記体腔内の観察対象を照明する複数種の光を発する光源ユニットと、
前記分光画像観察用光学装置および前記光源ユニットを制御する制御ユニットと、
前記分光画像観察用光学装置によって取得された画像を表示する表示ユニットとを備える内視鏡システム。
【手続補正２】
【補正対象書類名】明細書
【補正対象項目名】発明の名称
【補正方法】変更
【補正の内容】
【発明の名称】分光画像観察用光学装置および内視鏡システム
【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
仮想三次元空間内の所定の面上を移動する、複数のタイヤを有する移動体が発生する音の生成処理を情報処理装置のコンピュータに実行させるためのプログラムであって、
前記移動体を移動制御するステップと、
前記移動体の前記タイヤにかかる荷重を算出するステップと、
前記荷重に基づいて、前記タイヤから発生するスキール音の音量および音程を制御するステップと、
前記スキール音を出力するステップと、
を実行させるためのスキール音生成プログラム。
【請求項２】
前記移動体の前記タイヤのスリップ角を算出するステップと、当該スリップ角に基づいて前記スキール音の音色を変化させるステップと、をさらに実行させるための請求項１に記載のスキール音生成プログラム。
【請求項３】
前記荷重が所定範囲内の場合にのみ当該スキール音の生成を決定するステップをさらに実行させるための請求項１または２に記載のスキール音生成プログラム。
【請求項４】
当該情報処理装置における映像の視点の変化、および、視点の基準となる移動体からスキール音生成対象たる前記移動体までの距離の変化に応じて、前記スキール音の生成処理と当該スキール音の生成処理回避とを切り替えるステップをさらに実行させるための請求項１から３のいずれか１項に記載のスキール音生成プログラム。
【請求項５】
当該情報処理装置における映像の視点の変化、および、視点の基準となる前記移動体からスキール音生成対象たる移動体までの距離の変化に応じて、前記スキール音を前記荷重および前記スリップ角に基づいて生成する第１の生成処理、前記スキール音を前記荷重のみに基づいて生成する第２の生成処理、あるいは当該スキール音の生成処理回避のいずれかに切り替えるステップをさらに実行させるための請求項２または３に記載のスキール音生成プログラム。
【請求項６】
複数ある前記タイヤのそれぞれについて独立してスキール音を生成する機能を実現させるための請求項１から５のいずれか１項に記載のスキール音生成プログラム。
【請求項７】
前記移動体のエンジン回転数を算出するステップと、当該エンジンの回転数に基づいてエンジン音を生成するステップと、当該スキール音が発生した場合に前記エンジン音の音量を減じるステップと、をさらに実行させるための請求項１から６のいずれか１項に記載のスキール音生成プログラム。
【請求項８】
請求項１乃至７のいずれか１項に記載のスキール音生成プログラムを記録したコンピュータ読み取り可能な記憶媒体。
【請求項９】
仮想三次元空間内の所定の面上を移動する、複数のタイヤを有する移動体が発生する音の生成処理をコンピュータに実行させて出力する情報処理装置であって、
移動制御した前記移動体の前記タイヤにかかる荷重を算出し、算出した荷重に基づいて前記タイヤから発生するスキール音の音量および音程を制御するコンピュータと、
前記スキール音を出力するための出力装置と、
を有することを特徴とする情報処理装置。
【請求項１０】
情報処理装置における仮想三次元空間内の所定の面上を移動する、複数のタイヤを有する移動体が発生する音の生成処理を行うスキール音生成方法であって、
前記移動体を移動制御し、当該時点における前記移動体の前記タイヤにかかる荷重を算出し、該算出した荷重に基づいて前記タイヤから発生するスキール音の音量および音程を制御し、当該スキール音を出力するスキール音生成方法。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
少なくとも複数の発光手段と前記発光手段に電気的に接続されるコネクタとを具備するプリント基板と、前記プリント基板が取付けられる本体部材とを一体的に備えた複数の発光体ユニットを備え、
前記本体部材は、該本体部材に取付状態にある前記プリント基板の前記複数の発光手段に対向して配置され、該発光手段から発せられた光を拡散又は集光させるレンズ部を備えたことを特徴とする遊技機。
【請求項２】
前記本体部材は、前記レンズ部と一体成形され、前記発光体ユニットを被取付部に係止するための係止部を備えることを特徴とする請求項１に記載の遊技機。
【請求項３】
１つの前記プリント基板につき２つの前記発光手段と１つの前記コネクタが設けられ、
前記プリント基板は長板状をなし、
前記各発光手段は、前記プリント基板の長手方向に沿って並んで配置され、
前記コネクタは、前記２つの発光手段の間において、前記各発光手段の中心同士を結ぶ線分から外れた位置に配置され、
前記レンズ部は２つの前記発光手段に個別に対応して２つ設けられ、前記プリント基板に設けられる２つの前記発光手段は、前記プリント基板の長手方向の中心位置を中心として対称位置に配置されていることを特徴とする請求項１又は２に記載の遊技機。
【請求項４】
前記発光体ユニットを、前記発光手段から発せられ、前記レンズ部を透過した光が遊技機本体前方に照射されるように配置し、
複数の前記発光体ユニットの前方を覆うようにして設けられたカバー手段を備え、
前記カバー手段は、少なくとも一部が、半透明の部材、プリズム板、又はハーフミラー等の遊技機本体の前方から前記発光体ユニットを視認困難又は視認不可能とする部材により構成され、
前記カバー手段の表面形状に合わせて前後に凹凸形状をなし、前記発光体ユニットが取付けられる取付部材を備えたことを特徴とする請求項１乃至３のいずれかに記載の遊技機。
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
眼内挿入用レンズを保持するレンズ保持部を有し、前記レンズを前記レンズ保持部から押出し軸によって該挿入器具の先端方向に移動させて眼内に挿入する眼内挿入用レンズの挿入器具であって、
前記レンズ保持部は、
前記レンズの辺縁部における前記レンズの中心から見て前記先端方向にある位置から周方向両側に第１の周方向角度だけ後退した位置から後方の領域にある第１の保持部と、
前記第１の周方向角度より大きい第２の周方向角度の位置から後方の領域にある第２の保持部とを、
前記辺縁部における互いに反対側の面に当接可能に有し、
前記レンズが前記レンズ保持部から前記押出し軸によって前記先端方向に押される際に、前記レンズを前記第１の保持部に向かって凸形状とするように変形させるための構造を有することを特徴とする眼内挿入用レンズの挿入器具。
【請求項２】
請求項１に記載の挿入器具と、
前記レンズ保持部にて保持された眼内挿入用レンズとを有することを特徴とする眼内挿入用レンズの挿入システム。
【請求項３】
請求項１に記載の挿入器具を準備する工程と、
眼内挿入用レンズを前記レンズ保持部に保持させる工程とを含むことを特徴とする眼内挿入用レンズの挿入システムの製造方法。
【手続補正２】
【補正対象書類名】明細書
【補正対象項目名】０００７
【補正方法】変更
【補正の内容】
【０００７】
本発明の一側面としての挿入器具は、眼内挿入用レンズを保持するレンズ保持部を有し、該レンズをレンズ保持部から押出し軸によって該挿入器具の先端方向に移動させて眼内に挿入する眼内挿入用レンズの挿入器具である。レンズ保持部は、レンズの辺縁部におけるレンズの中心から見て先端方向にある位置から周方向両側に第１の周方向角度だけ後退した位置から後方の領域にある第１の保持部と、第１の周方向角度より大きい第２の周方向角度の位置から後方の領域にある第２の保持部とを、該辺縁部における互いに反対側の面に当接可能に有する。そして、レンズがレンズ保持部から押出し軸によって先端方向に押される際に、レンズを第１の保持部に向かって凸形状とするように変形させるための構造を有することを特徴とする。
【手続補正３】
【補正対象書類名】明細書
【補正対象項目名】０００９
【補正方法】変更
【補正の内容】
【０００９】
本発明によれば、例えば第１面が下になるようにレンズをレンズ保持部にセットした状態では、第１の保持部は、第２の保持部よりも先端側の位置から後方の領域で辺縁部を支持する。これにより、レンズの先端側の部分を下方向に変形させることなくレンズを支持することができる。しかも、レンズの先端側に先端方向への十分な開放角度範囲を形成することができるため、レンズ保持部によって保持されたレンズをそのまま押出し軸によってスムーズに押し出すことができる。
【手続補正４】
【補正対象書類名】明細書
【補正対象項目名】００１０
【補正方法】変更
【補正の内容】
【００１０】
さらに、第２の保持部は、このように第１の保持部によって支持されたレンズの第２面の辺縁部のうち、第１の保持部よりも後方の領域を押さえる。これにより、レンズが第１の保持部に対して浮くことを確実に防止できるとともに、レンズ辺縁部における第１の保持部と同じ領域に第２の保持部を当接させる場合に比べて、押出し軸によるレンズの押出しやこれに伴うレンズの変形をスムーズに行わせることができる。しかも、レンズの押出しに際して辺縁部を第１の保持部に向かって凸形状とするように変形させるための構造を有するため、レンズの変形させながらの押出しをよりスムーズに行うことができる。
なお、レンズ保持部がレンズの辺縁部を保持することで、光学部に実質的に応力が作用しない状態でレンズを保持することができ、長期間の保管も可能となる。
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
遊技球を貯留する受け皿と、
前記受け皿の下流側に設けられ、遊技者のベット操作により前記受け皿に貯留された遊技球を所定数取り込む投入装置であって、前後方向に並設され、上下方向に延びる複数の取込通路、前記複数の取込通路の各取込通路に設けられ、前記各取込通路に導入された遊技球を検出する第１のセンサ、前記各取込通路の第１のセンサよりも下流側に設けられ、前記各取込通路に導入された遊技球を検出する第２のセンサ、および、前記各取込通路の前記第１のセンサよりも上流側に設けられ、前記各取込通路への遊技球の導入を規制する開閉部材を有する投入装置と、
前記投入装置の前記複数の取込通路の下方から左右方向に延在し、前記各取込通路を落下してきた遊技球を合流させ、前後方向に関して傾きをもった下流側の側壁にて遊技球を前後方向後方側へ送る整流部と、
整流部の下流側の側壁に設けられ、遊技球の衝撃を吸収する弾性体からなる緩衝部材と、
整流部の下流側後端部から左右方向に延在し整流部から送られてきた遊技球を機外に排出する排出樋と、
を備える遊技機。
【請求項２】
前記整流部の底面に、前記緩衝部材の後端部と前記整流部の前側中間部とを結ぶラインを裾部として、前記裾部から前記整流部の下流側の前記側壁の前端部に向かって上る傾斜面部を設けた請求項１に記載の遊技機。
【請求項３】
前記緩衝部材が前記複数の取込通路のうち前端側の取込通路に対応して設けられており、後端側の取込通路に対応する前記整流部の下流側の前記側壁を前記前端側の取込通路に対応する前記整流部の下流側の前記側壁よりも前後方向に関して大きな角度で傾けた請求項１又は２に記載の遊技機。
【請求項４】
前記後端側の取込通路に対応する前記整流部の下流側の前記側壁と前記傾斜面部の前記裾部とをストレート状に形成した請求項３に記載の遊技機。
【手続補正２】
【補正対象書類名】明細書
【補正対象項目名】００１４
【補正方法】変更
【補正の内容】
【００１４】
以下、上記課題を解決するのに有効な手段等につき、必要に応じて作用効果等を示しつつ説明する。
本発明に係る遊技機は、
遊技球を貯留する受け皿と、
前記受け皿の下流側に設けられ、遊技者のベット操作により前記受け皿に貯留された遊技球を所定数取り込む投入装置であって、前後方向に並設され、上下方向に延びる複数の取込通路、前記複数の取込通路の各取込通路に設けられ、前記各取込通路に導入された遊技球を検出する第１のセンサ、前記各取込通路の第１のセンサよりも下流側に設けられ、前記各取込通路に導入された遊技球を検出する第２のセンサ、および、前記各取込通路の前記第１のセンサよりも上流側に設けられ、前記各取込通路への遊技球の導入を規制する開閉部材を有する投入装置と、
前記投入装置の前記複数の取込通路の下方から左右方向に延在し、前記各取込通路を落下してきた遊技球を合流させ、前後方向に関して傾きをもった下流側の側壁にて遊技球を前後方向後方側へ送る整流部と、
整流部の下流側の側壁に設けられ、遊技球の衝撃を吸収する弾性体からなる緩衝部材と、
整流部の下流側後端部から左右方向に延在し整流部から送られてきた遊技球を機外に排出する排出樋と、
を備えている。
【手続補正３】
【補正対象書類名】明細書
【補正対象項目名】００２３
【補正方法】変更
【補正の内容】
【００２３】
本発明によれば、上述の如く、投入装置に複数の取込通路を設けて所定数の遊技球の取込速度を向上させると共に投入装置に第１のセンサ及び第２のセンサを設けて遊技球の取り込み時におけるゴト行為を防止しつつ、整流部における投入装置から放出された遊技球の円滑な排出樋への誘導によって投入装置の各取込通路の直下における遊技球の干渉による第２のセンサのチャタリングを抑制しているので、遊技をスムーズに進行できるようになる。
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
遊技球を貯留する上受け皿及び下受け皿と、所定の入賞条件の成立に基づき所定個数の遊技球を払い出す払出装置と、前記払出装置から払い出された遊技球を前記上受け皿へ案内する上払出樋と、前記払出装置から払い出された遊技球を前記下受け皿へ案内する下払出樋と、遊技に供された遊技球を遊技機の外部に排出する排出樋とを備え、前記下払出樋と前記排出樋とが少なくとも一部で重なる遊技機において、
前記下払出樋と前記排出樋とが重なり合った互いの重合部の間に前記下払出樋と前記排出樋との連通を抑止する補強部材を介在させたことを特徴とする遊技機。
【請求項２】
前記下払出樋の前記重合部と前記排出樋の前記重合部とが分離可能であり、
前記補強部材が、前記下払出樋の重合部及び前記排出樋の重合部のうちいずれか一方の重合部に装着されている請求項１に記載の遊技機。
【請求項３】
前記下払出樋の前記重合部及び前記排出樋の前記重合部のうち前記補強部材が装着される重合部に設けられ、前記補強部材の位置を決める枠部を備える請求項２に記載の遊技機。
【請求項４】
前記下払出樋及び前記排出樋のうち少なくとも一方が、前記重合部よりも上流側部分と下流側部分とに切り離し可能であり、
前記枠部は、前記下払出樋及び前記排出樋のうち前記枠部が設けられていない樋を支持している請求項３に記載の遊技機。
【請求項５】
前記上受け皿の下流側の下方に配置され、遊技者のベット操作により前記上受け皿に貯留された遊技球を所定数取り込む投入装置を備え、
前記下払出樋は、前記払出装置から前記投入装置の近傍まで延在していると共に前記投入装置の側方にて下払出口を開口し、
前記排出樋は、前記投入装置が取り込んだ遊技球を遊技機の外部に排出するために前記投入装置の下方から前記下払出口の奥壁の裏側を通って遊技機の略中央部まで延在している請求項１〜４のいずれか一項に記載の遊技機。
【手続補正２】
【補正対象書類名】明細書
【補正対象項目名】００１４
【補正方法】変更
【補正の内容】
【００１４】
以下、上記課題を解決するのに有効な手段等につき、必要に応じて作用効果等を示しつつ説明する。
本発明に係る遊技機は、遊技球を貯留する上受け皿及び下受け皿と、所定の入賞条件の成立に基づき所定個数の遊技球を払い出す払出装置と、前記払出装置から払い出された遊技球を前記上受け皿へ案内する上払出樋と、前記払出装置から払い出された遊技球を前記下受け皿へ案内する下払出樋と、遊技に供された遊技球を遊技機の外部に排出する排出樋とを備え、前記下払出樋と前記排出樋とが少なくとも一部で重なる遊技機において、
前記下払出樋と前記排出樋とが重なり合った互いの重合部の間に前記下払出樋と前記排出樋との連通を抑止する補強部材を介在させたことを特徴としている。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
被検体が配置される撮像空間に静磁場を発生する静磁場発生源と、前記撮像空間に傾斜磁場を印加するための傾斜磁場印加部と、前記被検体に高周波磁場を印加する高周波磁場コイルとを有し、
前記傾斜磁場印加部は、前記傾斜磁場および前記静磁場を補正する磁場のうちの少なくとも一方を発生する平板状コイルを備え、
該平板状コイルは、シートと、該シートの主平面上に所定のパターンに巻回され、前記シートに固定された線材とを有することを特徴とする磁気共鳴イメージング装置。
【請求項２】
被検体が配置される撮像空間に静磁場を発生する静磁場発生源と、前記撮像空間に傾斜磁場を印加するための傾斜磁場印加部と、前記被検体に高周波磁場を印加する高周波磁場コイルとを有し、
前記傾斜磁場印加部は、前記傾斜磁場および前記静磁場を補正する磁場のうちの少なくとも一方を発生する平板状コイルを含み、
該平板状コイルは、シートと、所定のパターンに巻回された線材とが、交互に積層された多層構造であることを特徴とする磁気共鳴イメージング装置。
【請求項３】
請求項２に記載の磁気共鳴イメージング装置において、前記シートとシートの間には絶縁性の充填部材が充填され、前記線材を埋め込んでいることを特徴とする磁気共鳴イメージング装置。
【請求項４】
請求項３に記載の磁気共鳴イメージング装置において、前記シートには、前記充填部材を注入するための貫通孔が設けられていることを特徴とする磁気共鳴イメージング装置。
【請求項５】
請求項１ないし５のいずれか１項に記載の磁気共鳴イメージング装置において、前記シートは、表面に接着材層を備える樹脂シート、または、繊維に樹脂を含浸させたシートであることを特徴とする磁気共鳴イメージング装置。
【請求項６】
請求項１ないし３のいずれか１項に記載の磁気共鳴イメージング装置において、前記傾斜磁場印加部は、前記傾斜磁場を発生するコイルと、前記静磁場を補正する磁場を発生するコイルと、これらのコイルを一体化するモールド樹脂とを含み、前記傾斜磁場発生コイルおよび前記補正磁場発生コイルのうち少なくとも一方が、前記平板状コイルであることを特徴とする磁気共鳴イメージング装置。
【請求項７】
上面に所定のパターンに沿った溝が形成された型部材の該溝に導体の線材を配置し、
前記型部材の上にシートを配置して、前記線材をシートに接着し、
前記線材を前記シートとともに前記型部材からはずすことにより、前記パターンの線材が表面に固定されたシートを得ることを特徴とする平板状コイルの製造方法。
【請求項８】
請求項７に記載の平板状コイルの製造方法において、前記シートとして、表面に接着材層を備えた樹脂シートを用い、前記接着材層を前記線材に圧接することにより、前記線材と前記シートとを接着することを特徴とする平板状コイルの製造方法。
【請求項９】
請求項７に記載の平板状コイルの製造方法において、前記シートとして、樹脂を含浸させた繊維を用い、前記シートを前記線材に接触させた状態で加熱することにより、前記線材と前記シートとを接着することを特徴とすることを特徴とする平板状コイルの製造方法。
【請求項１０】
請求項７に記載の平板状コイルの製造方法において、前記線材として、加熱または所定の溶剤に接触することにより接着性を発揮する材料で被覆されたものを用い、前記線材を加熱するか、または前記線材に前記溶剤を供給することにより、前記線材と前記シートとを接着することを特徴とすることを特徴とする平板状コイルの製造方法。